【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
動画像データを符号化し、ネットワークを介して接続された受信端末に対して送信するためのデータ送信装置であって、
動画像データを、前記動画像データを構成するフレーム単位で、復号化時に他のフレームの情報が不要な第１の符号化方式と、復号化時に他のフレームの情報が必要な第２の符号化方式を併用して符号化する符号化手段と、
前記符号化手段が符号化した動画像データを記憶する記憶手段と、
受信端末へ送信するパケットを、前記符号化手段が符号化した動画像データ又は前記記憶手段に記憶された動画像データから生成するパケット生成手段と、
前記パケット生成手段が生成したパケットを、前記受信端末に送信する送信手段とを有し、
前記パケット生成手段が、前記受信端末に最初に送信するパケットが、前記第１の符号化方式で符号化されたフレームの動画像データから生成されるように、前記符号化手段が符号化した動画像データ又は前記記憶手段に記憶された動画像データから前記パケットを生成することを特徴とするデータ送信装置。
【請求項２】
前記パケット生成手段が、前記受信端末からの送信要求を受信した時点で前記符号化手段から受信した動画像データに適用された符号化方式の種類に基づいて、前記最初に送信するパケットを、前記符号化手段が符号化した動画像データ又は前記記憶手段に記憶された動画像データのどちらを用いて生成するかを決定することを特徴とする請求項１記載のデータ送信装置。
【請求項３】
前記パケット生成手段が、前記記憶手段に記憶された複数フレームの動画像データから前記パケットを生成する場合、前記複数フレームの動画像データが、前記符号化手段の符号化フレームレートよりも早いフレームレートで送信されるように前記パケットを生成することを特徴とする請求項１又は請求項２記載のデータ送信装置。
【請求項４】
前記パケット生成手段が、前記受信端末からの送信要求を受信した時点で前記記憶手段に記憶されていた動画像データに対して前記パケットの生成を終えた後は、前記符号化手段が符号化した動画像データから前記パケットを生成することを特徴とする請求項３記載のデータ送信装置。
【請求項５】
前記記憶手段が、前記符号化手段が前記第１の符号化方式を適用して符号化した直近のフレームの動画像データのみを記憶することを特徴とする請求項１乃至請求項４のいずれか１項に記載のデータ送信装置。
【請求項６】
動画像データを符号化し、ネットワークを介して接続された受信端末に対して送信するためのデータ送信装置であって、
動画像データを、前記動画像データを構成するフレーム単位で、復号化時に他のフレームの情報が不要な第１の符号化方式と、復号化時に他のフレームの情報が必要な第２の符号化方式を併用して符号化する符号化手段と、
前記符号化手段が符号化した動画像データ又は、記憶手段に記憶された、過去に生成されたパケットのデータから、受信端末に送信するパケットを生成するパケット生成手段と、
前記パケット生成手段が生成したパケットを、前記受信端末に送信する送信手段とを有し、
前記パケット生成手段が、前記受信端末に最初に送信するパケットが、前記第１の符号化方式で符号化されたフレームの動画像データから生成されるように、前記符号化手段が符号化した動画像データ又は前記記憶手段に記憶されたパケットのデータから前記パケットを生成することを特徴とするデータ送信装置。
【請求項７】
動画像データを符号化し、ネットワークを介して接続された受信端末に対して送信するためのデータ送信方法であって、
動画像データを、前記動画像データを構成するフレーム単位で、復号化時に他のフレームの情報が不要な第１の符号化方式と、復号化時に他のフレームの情報が必要な第２の符号化方式を併用して符号化する符号化ステップと、
前記符号化ステップで符号化された動画像データを記憶手段に記憶する記憶ステップと、
受信端末へ送信するパケットを、前記符号化ステップで符号化した動画像データ又は前記記憶手段に記憶された動画像データから生成するパケット生成ステップと、
前記パケット生成ステップで生成したパケットを、前記受信端末に送信する送信ステップとを有し、
前記パケット生成ステップが、前記受信端末に最初に送信するパケットが、前記第１の符号化方式で符号化されたフレームの動画像データから生成されるように、前記符号化ステップで符号化された動画像データ又は前記記憶手段に記憶された動画像データから前記パケットを生成することを特徴とするデータ送信方法。
【請求項８】
動画像データを符号化し、ネットワークを介して接続された受信端末に対して送信するためのデータ送信方法であって、
動画像データを、前記動画像データを構成するフレーム単位で、復号化時に他のフレームの情報が不要な第１の符号化方式と、復号化時に他のフレームの情報が必要な第２の符号化方式を併用して符号化する符号化ステップと、
前記符号化ステップで符号化された動画像データ又は、記憶手段に記憶された、過去に生成されたパケットのデータから、受信端末に送信するパケットを生成するパケット生成ステップと、
前記パケット生成ステップで生成したパケットを、前記受信端末に送信する送信ステップとを有し、
前記パケット生成ステップが、前記受信端末に最初に送信するパケットが、前記第１の符号化方式で符号化されたフレームの動画像データから生成されるように、前記符号化ステップで符号化された動画像データ又は前記記憶手段に記憶されたパケットのデータから前記パケットを生成することを特徴とするデータ送信方法。
【請求項９】
請求項７又は請求項８記載のデータ送信方法の各ステップをコンピュータに実行させるためのプログラム。
【請求項１０】
請求項９記載のプログラムを格納したコンピュータ読み取り可能な記録媒体。
【手続補正２】
【補正対象書類名】明細書
【補正対象項目名】００１７
【補正方法】変更
【補正の内容】
【００１７】
また、上述の目的は、動画像データを符号化し、ネットワークを介して接続された受信端末に対して送信するためのデータ送信方法であって、動画像データを、動画像データを構成するフレーム単位で、復号化時に他のフレームの情報が不要な第１の符号化方式と、復号化時に他のフレームの情報が必要な第２の符号化方式を併用して符号化する符号化ステップと、符号化ステップで符号化した動画像データを記憶手段に記憶する記憶ステップと、受信端末へ送信するパケットを、符号化ステップで符号化された動画像データ又は記憶手段に記憶された動画像データから生成するパケット生成ステップと、パケット生成ステップで生成したパケットを、受信端末に送信する送信ステップとを有し、パケット生成ステップが、受信端末に最初に送信するパケットが、第１の符号化方式で符号化されたフレームの動画像データから生成されるように、符号化ステップで符号化された動画像データ又は記憶手段に記憶された動画像データからパケットを生成することを特徴とするデータ送信方法によっても達成される。
【手続補正３】
【補正対象書類名】明細書
【補正対象項目名】００１８
【補正方法】変更
【補正の内容】
【００１８】
また、上述の目的は、動画像データを符号化し、ネットワークを介して接続された受信端末に対して送信するためのデータ送信方法であって、動画像データを、動画像データを構成するフレーム単位で、復号化時に他のフレームの情報が不要な第１の符号化方式と、復号化時に他のフレームの情報が必要な第２の符号化方式を併用して符号化する符号化ステップと、符号化ステップで符号化した動画像データ又は、記憶手段に記憶された、過去に生成されたパケットのデータから、受信端末に送信するパケットを生成するパケット生成ステップと、パケット生成ステップで生成されたパケットを、受信端末に送信する送信ステップとを有し、パケット生成ステップが、受信端末に最初に送信するパケットが、第１の符号化方式で符号化されたフレームの動画像データから生成されるように、符号化ステップで符号化された動画像データ又は記憶手段に記憶されたパケットのデータからパケットを生成することを特徴とするデータ送信方法によっても達成される。